(57)【特許請求の範囲】
【請求項１】
シャッタ駆動機構が取り付けられ、中央部にアパーチャを有するシャッタ基板と、
視度調整機構と、を有し、
前記シャッタ基板上の、前記アパーチャの左右および上下には、実装基板が配置される実装スペースが在り、
前記視度調整機構は、
カム面を備え、撮影光軸と直交する方向に移動可能な駆動用カムと、
前記駆動用カムの前記カム面に当接する係合部を備え、該駆動用カムの移動に応じて、該カム面と該係合部との当接を介して前記撮影光軸と平行な方向に移動可能な可動レンズと、
前記可動レンズを固定支持する可動レンズ枠と、
前記可動レンズを前記撮影光軸に平行な方向に移動可能なように、前記可動レンズ枠を前記撮影光軸に平行な方向に案内する固定レンズ枠と、
前記固定レンズ枠との間で前記可動レンズ枠を挟み込むようにして、前記固定レンズ枠に対して前記可動レンズを付勢保持する付勢手段と、を備えており、
前記可動レンズの前記係合部は、前記付勢部材により前記可動レンズを前記固定レンズ枠に付勢保持するために、前記付勢部材が掛けられる部材として使用されており、
前記駆動用カムは、前記シャッタ基板の上辺部と、前記実装スペースのうちの前記アパーチャの上方の実装スペースの上端部と、の間隔内に配置されることを特徴とするファインダー視度調整装置を有するカメラ。
【請求項２】
前記カム面の移動は、前記固定レンズ枠の幅内に規制されていることを特徴とする請求項１に記載のファインダー視度調整装置を有するカメラ。
【請求項３】
使用者により調整操作される視度調整レバーと、
前記視度調整レバーを嵌合する嵌合穴を備えるとともに、当該嵌合穴に前記視度調整レバーを嵌合させた状態で、当該視度調整レバーを前記駆動用カムに固定支持させることにより、前記視度調整レバーと前記駆動用カムと共に一体化された接眼枠と、を有し、
前記駆動用カムは、一体成形されたクリックバネを備えており、
前記接眼枠は、前記クリックバネが落ち込むことで前記視度調整レバーの操作時にクリック感を与えるクリック溝を備えていることを特徴とする請求項１または請求項２に記載のファインダー視度調整装置を有するカメラ。
【請求項４】
前記固定レンズ枠には、前記可動レンズ枠が前記固定レンズ枠上で進退する際の摩擦抵抗を低減させるための段差部が設けられていることを特徴とする請求項１乃至請求項３の何れか一項に記載のファインダー視度調整装置を有するカメラ。
【発明の詳細な説明】
【０００１】
【発明の属する技術分野】
本発明は、―眼レフカメラのファインダー光学系に最適な視度調整装置に関する。
【０００２】
【従来の技術】
従来、一般にファインダー光学系の視度調整装置は、ファインダー光学系を構成する接眼レンズの―部を光軸方向に移動させることにより行われている。また、視度調整装置における調整のための操作部材については、軸周りに回転操作する回動式操作部材と、例えばカメラ本体の左右方向に作動させる直動式操作部材とが考案されている。前者については、例えば特開平１−２９１２２７号で示される技術手段が挙げられ、後者については、例えば実開平３−１０３４３０号の技術手段が知られている。
【０００３】
【発明が解決しようとする課題】
近年の―眼レフカメラでは、小型軽量化に加え、さらに多くの付加機能を搭載することが求められており、ファインダー装置における視度調整機能もその内の一つに挙げられる。しかし、付加機能を増やせばそれだけ操作部材も増えることになり、ユーザーに操作の煩雑さや、カメラ自体の複雑さを連想させるようなデザインとならないよう、操作部材の配置や操作方法を設計段階で工夫することが求められる。
【０００４】
また、―般的に操作部材をカメラのカバー上に配置するには、カバーに開口部を設けて内部の機構と操作部材との連係を図ることになる。しかし、遮光性、防塵性の観点からは、カバーに多くの開口部を設けることは好ましくない。そこで、従来より、接眼部の構成として一般的である接眼枠に直動式の操作部材を設けることが実開平３−１０３４３０号によって開示されている。
【０００５】
接眼枠に差し込み式の接眼アダプターが取り付く左右の溝を設け、着脱式の遮光アダプターを取り付ける場合には、視度調整装置の小型化と操作部材の操作性に加え、更に設定状態の視認性をも考慮に入れた配置および構成が望まれる。特開平６−７５２７３号においては接眼枠上部に設ける構成を採っている。しかし、従来より考案されているような接眼枠上部に操作部材を配置する構成にすることには、次のような問題点が挙げられる。
【０００６】
１）接眼レンズ上部であり、ぺンタダハプリズムもしくはぺンタダハミラーの後方に配置された測光光学系の占有スぺースを圧迫する。
【０００７】
２）測光光学系のスぺースを確保しつつ、従来よりある接眼枠形状を踏襲し、差し込み式の接眼アクセサリーの共通化を図るには、前後方向もしくは左右方向への接眼部の大型化を招くことになる。
【０００８】
３）従来より考案されている視度調整機構を接眼レンズ下方のスぺースに組み込む場合には、シャッターの取り付け位置やカメラボディの構成等による制約が多くなり、視度調整機構を構成することが難しい。
【０００９】
本発明は、上記の問題点に鑑みてなされたもので、限られたスペースに視度調整装置を配置することを目的とする。
【００１０】
【課題を解決するための手段】
この目的を達成するために、第１発明のファインダー視度調整装置を有するカメラは、シャッタ駆動機構が取り付けられ、中央部にアパーチャを有するシャッタ基板と、視度調整機構と、を有し、シャッタ基板上の、アパーチャの左右および上下には、実装基板が配置される実装スペースが在り、視度調整機構は、カム面を備え、撮影光軸と直交する方向に移動可能な駆動用カムと、駆動用カムのカム面に当接する係合部を備え、該駆動用カムの移動に応じて、該カム面と該係合部との当接を介して撮影光軸と平行な方向に移動可能な可動レンズと、可動レンズを固定支持する可動レンズ枠と、可動レンズを撮影光軸に平行な方向に移動可能なように、可動レンズ枠を撮影光軸に平行な方向に案内する固定レンズ枠と、固定レンズ枠との間で可動レンズ枠を挟み込むようにして、固定レンズ枠に対して可動レンズを付勢保持する付勢手段と、を備えており、可動レンズの係合部は、付勢部材により可動レンズを固定レンズ枠に付勢保持するために、付勢部材が掛けられる部材として使用されており、駆動用カムは、シャッタ基板の上辺部と、実装スペースのうちのアパーチャの上方の実装スペースの上端部と、の間隔内に配置されることを特徴とする
【００１１】
第２発明のファインダー視度調整装置を有するカメラは、請求項１において、カム面の移動は、固定レンズ枠の幅内に規制されていることを特徴とする。
【００１２】
第３発明のファインダー視度調整装置を有するカメラは、請求項１または請求項２において、使用者により調整操作される視度調整レバーと、視度調整レバーを嵌合する嵌合穴を備えるとともに、当該嵌合穴に視度調整レバーを嵌合させた状態で、当該視度調整レバーを駆動用カムに固定支持させることにより、視度調整レバーと駆動用カムと共に一体化された接眼枠と、を有し、駆動用カムは、一体成形されたクリックバネを備えており、接眼枠は、クリックバネが落ち込むことで視度調整レバーの操作時にクリック感を与えるクリック溝を備えていることを特徴とする。
【００１３】
第４発明のファインダー視度調整装置を有するカメラは、請求項１乃至請求項３の何れか一項において、固定レンズ枠には、可動レンズ枠が固定レンズ枠上で進退する際の摩擦抵抗を低減させるための段差部が設けられていることを特徴とする。
【００１７】
【発明の実施の形態】
以下、本発明の実施の形態を図面に基づいて説明する。
【００１８】
図１および図２は、本発明によるファインダー視度調整装置を有するカメラの第１実施例を示す断面図および分解斜視図である。
【００１９】
図１において、撮影レンズ（図示せず）より入射した光線は、メインミラー４で上方に反射された後に、焦点板５を通ってペンタダハミラー６およびミラー７で後方（図１右側）に反射され、接眼レンズ１〜３に至る。接眼レンズ１〜３は３枚のレンズで構成されているが、このうち２枚目の接眼レンズ２が光軸方向に進退することにより、ファインダー視度の調整が可能となっている。
【００２０】
接眼レンズ１〜３の上方には、測光用の受光素子２０に集光させるための集光レンズ８が配置されている。
【００２１】
図２は、視度調整機構におけるレンズ駆動機構を説明する分解斜視図である。接眼レンズ１および２は固定レンズ枠１０に固定され、突起１ａと溝１０ｅおよび突起３ａと溝１０ｆの嵌合によって位置決めされる。接眼レンズ２は、可動レンズ枠１１上に、突起２ａと孔１１ａおよび突起２ｂと孔１１ｂの嵌合によって固定される。接眼レンズ２の下部には、レンズ駆動用平行カム１５に係合するための係合部２ｃが設けてある。可動レンズ枠１１は、係合部２ｃを固定レンズ枠１０に設けた穴部１０ａを通すようにして、固定レンズ枠１０上に配置される。
【００２２】
可動レンズ枠１１および可動レンズ枠１１上に固定された接眼レンズ２は、固定レンズ枠１０下方に配置された付勢バネ１２の先端部１２ａを係合部２ｃに掛けることによって、可動レンズ枠１１を挟み込む状態で付勢される。ここでは、レンズ駆動用平行カム１５との係合部２ｃを接眼レンズ２に設けたが、可動レンズ枠１１上に設けることも可能である。
【００２３】
図３において、可動レンズ枠１１に設けた摺動部１１ｄおよび１１ｅは、それぞれ固定レンズ枠１０の側壁１０ｃおよび１０ｄに当接し、左右方向（図３上下方向）の動きが拘束される。また、可動レンズ枠１１が固定レンズ枠１０上で進退する際の摩擦抵抗を低減するために、固定レンズ枠１０には段差部１０ｂ（図２）を設けている。
【００２４】
接眼レンズ２の進退動作は、レンズ駆動用平行カム１５によって行う。レンズ駆動用平行カム１５は視度調整レバー１４と共に外観部となる接眼枠１３にスライド可能な状態で固定される。レンズ駆動用平行カム１５には視度調整レバー１４の操作時にクリック感を与えるクリックバネ部１５ｃが一体に成形されており、接眼枠１３に設けたクリック溝１３ｃにクリックバネ部１５ｃが落ち込むことによって、接眼枠１３上でのレンズ駆動用平行カム１５の位置が決まる構成となっている。なお、クリックバネ部１５ｃはレンズ駆動用平行カム１５と別体で設けることも可能である。
【００２５】
接眼枠１３は、接眼枠１３に設けた溝部１３ｄと固定レンズ枠１０に設けた位置決めボス１０ｇの嵌合によって、固定レンズ枠１０上の位置が決められる。この際、接眼枠１３にスライド可能に固定されたレンズ駆動用平行カム１５が、固定レンズ枠１０の下方に突出した接眼レンズ２の２本のボス部２ｃに係合するように取り付けられる。
【００２６】
図４には、接眼レンズ２とレンズ駆動用平行カム１５の係合された状態が示されている。接眼レンズ２の突起部２ｂおよび２ｃには、円柱面２ｄおよび２ｅが設けてあり、レンズ駆動用平行カム１５のカム面１５ａおよび１５ｂとそれぞれ当接する。この構成では、接眼レンズ２を後退させる場合は、接眼レンズ２の円柱面２ｄをレンズ駆動用平行カム１５のカム面１５ａで、図４の右方向に押すように視度調整レバー１４を図４の上方向（カメラ本体の背面より見て右側）にスライドさせる。一方、接眼レンズ２を前進させる場合は、接眼レンズ２の円柱面２ｄをレンズ駆動用平行カム１５のカム面１５ｂで、図４の左方向に押すように視度調整レバー１４を図４の下方向（カメラ本体の背面より見て左側）にスライドさせる。
【００２７】
なお、レンズ駆動用平行カム１５は平行カムとして説明したが、平行カムに限らず溝カムで構成することも可能である。この場合、接眼レンズ２の下部に設けられる円柱面は１本とし、この１本の円柱面が溝カムの溝内を摺動するように構成するのが好ましい。
【００２８】
図５は第１実施例のカメラの背面図であり、視度調整レバー１４を右側に移動させると視度がプラス側に、左に移動させると視度はマイナス側に変化するようになっている。また、接眼枠１３には溝部１３ｄが左右に設けてあり、図６のような接眼目当てゴムなどのアクセサリーを取付可能になっている。
【００２９】
次に、図７および図１により、視度調整装置のカメラ本体に対する位置関係について説明する。図７で示すように、視度調整装置はシャッタ基板２００の上側に配置され、レンズ駆動用平行カム１５は斜線で示す位置となる。また、更に上側には、受光素子２０等から成る測光部が斜線で示す位置に配置される。シャッタ基板２００はシャッタ駆動機構を右端部に有し、中央部にはアパーチャ２０２を有する。更に、シャッタ基板２００は上辺部には斜面２００ｈを有し、斜面２００ｈは固定レンズ枠１０の斜面１０ｈ（図２参照）と対向する。
【００３０】
即ち、視度調整装置の一部（レンズ駆動用平行カム１５）が、シャッタ基板２００の上辺部２００ａとアパーチャ枠上端枠２００ｂとの間隔Ｘ内に配置される。また、視度調整装置の一部（レンズ駆動用平行カム１５）が、シャッタ基板２００の上辺部２００ａと実装スペース上端部２００ｃとの間隔Ｙ内に配置される。細線で示される枠内が実装スペースとして有効なスペースとなり得る。
【００３１】
次に、第１実施例の組立工程について説明する（図１参照）。組立は、まず可動レンズ枠１１に接眼レンズ２を取り付けることによって開始される。次に、固定レンズ枠１０に接眼レンズ２の取り付けられた可動レンズ枠１１を載せて、固定レンズ枠１０の下方に突出した接眼レンズ２の係合部２ｃに付勢バネ１２の先端部１２ａを掛け、可動レンズ枠１１を挟み込む状態で付勢する。次に、固定レンズ枠１０に接眼レンズ１および３を取り付ける。次に、接眼枠１３の穴部１３ｂに視度調整レバー１４を嵌合させ、レンズ駆動用平行カム１５にビス止めすることで、接眼枠１３に視度調整レバー１４とレンズ駆動用平行カム１５とを取り付ける。次に、固定レンズ枠１０の下方に突出した係合部２ｃに、接眼枠１３に取り付けられたレンズ駆動用平行カム１５が係合するように、固定レンズ枠１０の後方より接眼枠１３を取り付ける。これにより、組立工程が完了する。
【００３２】
図８および図９は、本発明によるファインダー視度調整装置を有するカメラの第２実施例を示す正面図および底面図である。第２実施例は、第１実施例のレンズ駆動用平行カム１５の変形例となっているので、特徴部分以外の図示は省略する。
【００３３】
図８において、接眼レンズ４３の下部には２本の脚部４３ｃが設けられている。図９に示すように、左側脚部４３ｃの右側脚部４３ｃと対向する側には、ギア４４が形成されている。ギア４４にはギア４２が噛合し、ギア４２にはギア４２が噛合している。ギア４１は、接眼枠４５から一部分が突出し、この突出した部分を矢印Ｃ方向に操作すると、接眼レンズ４３は矢印Ａ方向に直進する。また、ギア４１を矢印Ｃの反対方向に操作すると、接眼レンズ４３は矢印Ｂ方向に直進する。この接眼レンズ４３の直進移動により、ファインダー光学系の視度を調整することができる。
【００３４】
【発明の効果】
以上のように、本発明のファインダー視度調整装置を有するカメラによれば、視度調整装置の一部（１５）が、シャッタ基板（２００）の上辺部（２００ａ）とアパーチャ枠上端枠（２００ｂ）との間隔（Ｘ）内に配置されるようにしたので、限られたスペースに視度調整装置を配置することが可能となる。
【図面の簡単な説明】
【図１】本発明によるファインダー視度調整装置を有するカメラの第１実施例を示す断面図である。
【図２】本発明によるファインダー視度調整装置を有するカメラの第１実施例を示す斜視図である。
【図３】本発明によるファインダー視度調整装置を有するカメラの第１実施例を示す底面図である。
【図４】本発明によるファインダー視度調整装置を有するカメラの第１実施例を示す底面図である。
【図５】本発明によるファインダー視度調整装置を有するカメラの第１実施例を示す背面図である。
【図６】本発明によるファインダー視度調整装置を有するカメラの第１実施例を示す背面図である。
【図７】本発明によるファインダー視度調整装置を有するカメラの第１実施例を示す背面図である。
【図８】本発明によるファインダー視度調整装置を有するカメラの第２実施例を示す正面図である。
【図９】本発明によるファインダー視度調整装置を有するカメラの第２実施例を示す底面図である。
【符号の説明】
１    接眼レンズ
１ａ  突起
２    接眼レンズ
２ａ  突起
２ｂ  突起
２ｃ  付勢バネ係合部
２ｄ  円柱面
２ｅ  円柱面
３    接眼レンズ
３ａ  突起
４    メインミラー
５    焦点板
６    ペンタダハミラー
７    平面ミラー
８    集光レンズ
１０    固定レンズ枠
１０ａ  穴部
１０ｂ  段差部
１０ｃ  側壁
１０ｅ  溝
１０ｆ  溝
１０ｇ  ボス
１０ｈ  斜面
１１    可動レンズ枠
１１ａ  孔
１１ｂ  孔
１１ｄ  摺動部
１２    付勢バネ
１２ａ  先端部
１３    接眼枠
１３ｂ  穴部
１３ｃ  クリック溝
１３ｄ  溝部
１４    視度調整レバー
１５    レンズ駆動用平行カム
１５ａ  カム面
１５ｂ  カム面
１５ｃ  クリックバネ部
２０    受光素子
４１    ギア
４２    ギア
４３    接眼レンズ
４３ｃ  脚部
４４    ギア
４５    接眼枠
２００    シャッタ基板
２００ａ  上辺部
２００ｂ  アパーチャ枠上端枠
２００ｃ  実装スペース上端部
２００ｈ  斜面
２０２    アパーチャ
【図１】
0004239239.tif 000002
【図２】
0004239239.tif 000003
【図３】
0004239239.tif 000004
【図４】
0004239239.tif 000005
【図５】
0004239239.tif 000006
【図６】
0004239239.tif 000007
【図７】
0004239239.tif 000008
【図８】
0004239239.tif 000009
【図９】
0004239239.tif 000010